(57)【要約】【課題】モータ駆動を利用したフロントローディング機構を採用することなく簡単な機構によって、しかもディスクの出入れの操作性を向上させ、デザイン性を改善したディスクプレーヤを提供する。【解決手段】蓋板４２の開閉動作に連動してこの蓋板４２の側板４３に設けられている係合ピン４８によって摺動板２５を前後方向に移動させ、この摺動板２５の第２のカム溝３２に係合するトレー３５のピン３９をカム板２０の第１のカム溝２１の形状に沿って移動させる。【選択図】  図５
2004334953.tif 000002
【特許請求の範囲】
【請求項１】
ディスクを載置したトレーを移動させて前記ディスクをターンテーブル上にローディングして記録および／または再生を行なうディスクプレーヤにおいて、
前記トレーの側部にカム板を固定配置し、該カム板の第１のカム溝に前記トレーの側部の係合ピンを係合させ、
しかも前記カム板の側部に前後方向に移動可能な摺動板を設け、該摺動板の第２のカム溝に前記トレーの係合ピンを係合させ、
前記ディスクの出入れのための開口部を開閉自在に覆う蓋板の支点に対して偏倚する係合ピンを前記摺動板と連動させ、前記蓋板の開閉に連動して前記トレーを移動させるようにしたことを特徴とするディスクプレーヤ。
【請求項２】
前記カム板の第１のカム溝がほぼ横方向に延びる部分とほぼ縦方向に延びる部分とを有し、前記トレーが前後方向と高さ方向とに移動することを特徴とする請求項１に記載のディスクプレーヤ。
【請求項３】
前記蓋板の開放動作に連動して前記トレーが上方に移動した後に前方に移動し、前記蓋板の閉蓋動作に連動して前記トレーが後方に移動した後に下方に移動することを特徴とする請求項２に記載のディスクプレーヤ。
【請求項４】
前記摺動板の第２のカム溝が斜め方向に延びており、前記第１のカム溝と前記第２のカム溝とが交差する位置に前記トレーの係合ピンが係合して該トレーの位置が決定されることを特徴とする請求項１に記載のディスクプレーヤ。
【請求項５】
前記摺動板に縦方向の溝が形成され、該縦方向の溝に前記蓋板の係合ピンが係合し、前記蓋板の開閉に連動して前記摺動板が前後方向に移動することを特徴とする請求項１に記載のディスクプレーヤ。
【請求項６】
前記摺動板が弾性部材によって前方に付勢され、該弾性部材によって前記蓋板が開く方向に弾性復元力を受けることを特徴とする請求項５に記載のディスクプレーヤ。
【請求項７】
ダンパを具備し、該ダンパが蓋板の開閉動作を緩衝することを特徴とする請求項１に記載のディスクプレーヤ。
【請求項８】
前記ダンパが蓋板の側板のセグメントギヤと噛合うピニオンを有することを特徴とする請求項７に記載のディスクプレーヤ。
【請求項９】
前記蓋板を全開したときに前記トレーの前縁がキャビネットの前縁と同じ位置かそれよりも後方にあることを特徴とする請求項１に記載のディスクプレーヤ。
【請求項１０】
前記蓋板を全開したときに前記トレーの前縁がキャビネットの前縁よりも前方に突出し、しかも前記ディスクの外周縁よりも前方にあることを特徴とする請求項１に記載のディスクプレーヤ。
【請求項１１】
前記カム板の第１のカム溝がほぼ縦方向に延びる溝から構成され、前記トレーがほぼ高さ方向に移動することを特徴とする請求項１に記載のディスクプレーヤ。
【請求項１２】
前記蓋板の開放動作に連動して前記トレーが上方に移動し、前記蓋板の閉蓋動作に連動して前記トレーが下方に移動すること特徴とする請求項１１に記載のディスクプレーヤ。
【発明の詳細な説明】
【０００１】
【発明の属する技術分野】
本発明はディスクプレーヤに係り、とくにディスクを載置したトレーを移動させて前記ディスクをターンテーブル上にローディングして記録および／または再生を行なうディスクプレーヤに関する。
【０００２】
【従来の技術】
コンパクトディスク（ＣＤ）等のディスク状記録媒体を用いて音声の再生や、デジタル信号の記録再生を行なうようにしている。このようなディスクプレーヤは、上記ディスク状記録媒体を例えばトレーに載置してローディング動作を行なうようにし、トレーによってディスク状記録媒体がターンテーブル上に載置されるとともに、ターンテーブルによって回転駆動され、このときに上記ディスク状記録媒体の半径方向に移動する光学ヘッドによって信号の書込みあるいは読取りが行なわれる。
【０００３】
なお例えば特開平１１−３３９３５１号公報には、機器の上面キャビネットに配置されたディスク蓋と、ディスク蓋を開状態から閉状態まで回動させるディスク蓋駆動手段であるモータと、ディスク蓋の回転に連動する中継レバーと、中継レバーの動作に連動して上下に移動するディスクトレイと、上面キャビネットにディスクを収納するために形成されたディスク収納部とを備え、ディスク蓋が閉状態から開状態に回動すると同時に、ディスクトレイがほぼ水平状態を保ちながら上昇するように構成し、機器の上面にディスク蓋が載置されてディスクを出し入れする際に、ディスクの出し入れが非常に行ない易いようにしたディスク再生装置が提案されている。
【０００４】
【特許文献１】特開平１１−３３９３５１号公報
【特許文献２】特開２００１−５２４０２号公報
【発明が解決しようとする課題】
このように通常ディスクプレーヤは、ディスク状記録媒体の出入れのための開口を開閉自在な蓋で覆うようにしている。最もシンプルな構造は、蓋を支点を中心として回動させる構造であって、構造が簡単でしかもコスト的にも有利なものである。ところがこのような構造は動作としての魅力に欠ける欠点がある。
【０００５】
そこでモータを用いたフロントローディング機構を採用することが試みられている。ところがモータおよび歯車列を利用したローディング機構は機構が複雑になるとともに、コスト的にも問題がある。またトレーがセットから大きく前方に突出するためにデザイン的に不利になり、セット本体の安定性が損われる可能性がある。またモータ駆動を利用したフロントスロットイン機構の場合には、機構が複雑になるとともに、コスト的に問題を生ずる。またＣＤの装着時に挿入面を合わせる必要があり、このために慣れが必要になる問題がある。
【０００６】
本発明はこのような問題点に鑑みてなされたものであって、機構が簡単でありながらしかも操作性が向上するとともに、動作としての魅力を有し、デザイン性を改善できるようにしたディスクプレーヤを提供することを目的とする。
【０００７】
【課題を解決するための手段】
本願の主要な発明は、
ディスクを載置したトレーを移動させて前記ディスクをターンテーブル上にローディングして記録および／または再生を行なうディスクプレーヤにおいて、
前記トレーの側部にカム板を固定配置し、該カム板の第１のカム溝に前記トレーの側部の係合ピンを係合させ、
しかも前記カム板の側部に前後方向に移動可能な摺動板を設け、該摺動板の第２のカム溝に前記トレーの係合ピンを係合させ、
前記ディスクの出入れのための開口部を開閉自在に覆う蓋板の支点に対して偏倚する係合ピンを前記摺動板と連動させ、前記蓋板の開閉に連動して前記トレーを移動させるようにしたことを特徴とするディスクプレーヤに関するものである。
【０００８】
ここで前記カム板の第１のカム溝がほぼ横方向に延びる部分とほぼ縦方向に延びる部分とを有し、前記トレーが前後方向と高さ方向とに移動することが好ましい。また前記蓋板の開放動作に連動して前記トレーが上方に移動した後に前方に移動し、前記蓋板の閉蓋動作に連動して前記トレーが後方に移動した後に下方に移動することが好ましい。また前記摺動板の第２のカム溝が斜め方向に延びており、前記第１のカム溝と前記第２のカム溝とが交差する位置に前記トレーの係合ピンが係合して該トレーの位置が決定されることが好ましい。また前記摺動板に縦方向の溝が形成され、該縦方向の溝に前記蓋板の係合ピンが係合し、前記蓋板の開閉に連動して前記摺動板が前後方向に移動することが好ましい。
【０００９】
またここで前記摺動板が弾性部材によって前方に付勢され、該弾性部材によって前記蓋板が開く方向に弾性復元力を受けることが好ましい。またダンパを具備し、該ダンパが蓋板の開閉動作を緩衝することが好ましい。また前記ダンパが蓋板の側板のセグメントギヤと噛合うピニオンを有することが好ましい。また前記蓋板を全開したときに前記トレーの前縁がキャビネットの前縁と同じ位置かそれよりも後方にあることが好ましい。あるいはまた前記蓋板を全開したときに前記トレーの前縁がキャビネットの前縁よりも前方に突出し、しかも前記ディスクの外周縁よりも前方にあることが好ましい。
【００１０】
また前記カム板の第１のカム溝がほぼ縦方向に延びる溝から構成され、前記トレーがほぼ高さ方向に移動するようにしてもよい。この場合には前記蓋板の開放動作に連動して前記トレーが上方に移動し、前記蓋板の閉蓋動作に連動して前記トレーが下方に移動することが好ましい。
【００１１】
本願に含まれる発明の好ましい態様は、ＣＤ（コンパクトディスク）プレーヤ等のディスクプレーヤの蓋体の開閉機構において、簡単な機構で操作性を向上し、デザイン性の改善を図った蓋体の開閉機構に係り、とくに支点構造の蓋体部と、ディスクを受けるトレーとで構成された蓋体開閉機構に関する。
【００１２】
なおこの場合にディスクプレーヤのメカブロックは、サポートによってダンパを介して固定され、またディスクの固定は爪による固定ではなくて、マグネットの吸引力を利用したプレート固定方式に対して有効なものである。
【００１３】
ここで蓋体の開放動作に連動してトレーが上方に移動するとともに、さらに前方へ移動するようにし、これによってディスクの交換の操作性を向上させる。また操作性の向上とともに機構的な魅力を付加することになる。またトレーが移動した状態において、このトレーがセット本体の外に飛出さない寸法とすることにより、デザイン的に改善を図ることが可能になる。なおトレーがディスクの外周縁の前縁よりもさらに前方に突出するようにし、トレーを前方に移動させたときにセット本体の前縁よりも前に飛出すようにすると、このトレーの前縁がディスクガードとして機能する。何れの場合においても、トレーが上下方向のみならず前後方向に移動されるために、蓋体の前後方向の寸法を小さくすることが可能になり、これによって蓋体のデザインの自由度を向上させることが可能になる。
【００１４】
上記のような好ましい態様によれば、簡単でしかも低コストな機構によって、操作性の向上とデザイン性の改善とを図ることが可能になる。また蓋体の開放動作によって、トレーが上方および前方に移動するために、コンパクトディスク等のディスク状記録媒体の交換の操作性が改善される。
【００１５】
また蓋体を開いたときにトレーがセット本体の前方に突出しないようにすると、デザイン的に有利になる。これに対して蓋体を開いたときにトレーの先端部がセット本体の前方に飛出す形状とするとともに、ディスクの前縁よりも前方に突出した形状にすると、トレーがディスクガードとして機能する。またトレーが前後方向に移動するために蓋体を小さくすることが可能になり、蓋体のデザインの自由度が向上する。さらにトレーが上下方向のみならず前後方向に移動することによって、機構的な魅力を付加できる利点がある。
【００１６】
【発明の実施の形態】
図１〜図４は本発明の一実施の形態に係るディスクプレーヤを示すものであって、このディスクプレーヤはベースとしての基体１０を備えている。そしてこの基体１０上には複数本の、例えば４本のサポート１１が立設され、このサポート１１にダンパ１２（図４参照）を介してシャーシ１３が支持されるとともに、このシャーシ１３によってターンテーブル１４が支持されている。ターンテーブル１４はシャーシ１３の下側のスピンドルモータ１５によって直接回転駆動されるようになっている。またターンテーブル１４の側部には光学ヘッド１６が配されている。
【００１７】
また基体１０上には左右一対のカム板２０が図２および図３に示すように互いに対向するように配されている。これらのカム板２０はそれぞれ一対の第１のカム溝２１を備えている。カム溝２１は前後方向に延びる水平な部分と、縦方向に延びる垂直な部分とから構成されている。そしてこのようなカム溝２１を有するカム板２０は突片２２によって基体１０の上面に固定されている。
【００１８】
カム板２０の外側部には左右一対の摺動板２５が配されている。これらの摺動板２５はその底部において連結部３１によって互いに連結されるとともに、上記カム板２０の下側において摺動可能に支持されている。すなわち基体１０に形成されている長孔５６が連結部３１のピン５７と係合し、これによって摺動板２５は基体１０上を前後方向に移動可能に支持されている。そしてこの摺動板２５の側部に形成されている突部２７に植設されたピン２８に引張りコイルばね２９が係止され、これによって摺動板２５は前方に摺動付勢されている。
【００１９】
上記摺動板２５にはその後側の外側部上に縦溝３０が形成されている。また摺動板２５には斜めの方向に延びる第２のカム溝３２が一対形成されている。
【００２０】
次にトレー３５について説明する。トレー３５はその上にコンパクトディスク等のディスク状記録媒体を載置するための凹部３６が形成されるとともに、その中央部から後方にかけて開口３７が形成されている。開口３７はその下側からターンテーブル１４や光学ヘッド１６を受入れるためのものである。またトレー３５にはその両側に下方に突出する突部３８が形成されるとともに、突部３８の外側部にはピン３９が側方に突出するように形成されている。
【００２１】
また上記トレー３５の上部であってディスク５０の出入れをするための開口を覆うように蓋板４２が設けられている。蓋板４２は側板４３を備え、この側板４３の背面側の部分が支点ピン４４と連結され、これによって蓋板４２は支点ピン４４を中心として回動自在に支持されている。
【００２２】
また上記蓋板４２の側板４３の外周縁側にはセグメントギヤ４５が形成され、このセグメントギヤ４５がダンパ４６のピニオン４７と係合している。また蓋板４２の側板４３の内側面には係合ピン４８が植設され、この係合ピン４８が上記摺動板２５の縦溝３０に係合し、これによって蓋板４２の回動運動が摺動板２５の前後方向の摺動運動に変換されるようになっている。また蓋板４２の前端側の側部には係止爪４９が連設され、この係止爪４９によって蓋板４２を閉じた状態でロックするようになっている。
【００２３】
このように本実施の形態のディスクプレーヤは、その蓋板４２が支点ピン４４を中心として回動自在に支持され、蓋板４２の支点ピン４４の近傍の係合ピン４８が摺動板２５の縦溝３０に係合しており、蓋板４２の開閉動作によって摺動板２５が前後方向に移動する機構になっている。しかも蓋板４２にはそのセグメントギヤ４５がダンパ４６のピニオン４７に連動されている。また摺動板４５は引張りコイルばね２９によって前方に摺動付勢されている。
【００２４】
これに対してコンパクトディスクのメカブロックは、ダンパ１２およびサポート１１を介して基体１０上に固定されている。なおこのディスクプレーヤにおけるターンテーブル１４に対するディスク５０の固定はマグネット吸引力を利用したプレート固定方式が好ましい。そして左右両側のカム板２０は基体１０上に固定され、その側面に第１のカム溝２１が形成されている。カム板２０の第１のカム溝２１と摺動板２５の第２のカム溝３２とによって、トレー３５は位置決めされ、蓋板４２の支点ピン４４を中心とする回動動作によって上下方向に移動するとともに前後方向にも移動するようになっている。
【００２５】
以上のような蓋板４２の開閉動作に伴うトレー３５の運動について説明する。図４に示すように蓋板４２が閉じられている状態で、図外のロック解除釦を押圧して係止爪４９による蓋体４２のロックを解除する。すると摺動板２５の引張りコイルばね２９の弾性復元力によって、摺動板２５が前方に移動する力を受ける。従って摺動板２５はカム板２０の外側部上を前方に移動する。このときに摺動板２５の縦溝３０と係合する係合ピン４８が前方へ移動するために、この係合ピン４８を有する側板４３を一体に備える蓋板４２は支点ピン４４を中心として図５および図６に示すように時計方向に回動する。この蓋板４２の回動動作はダンパ４６によって緩衝されるために、ゆっくりと蓋板４２が開放される。
【００２６】
また上記引張りコイルばね２９による摺動板２５の前方への摺動運動に連動して、この摺動板２５の第２のカム溝３２と係合するトレー３５のピン３９はこの第２のカム溝３２の傾斜面によって上方へ押される。従ってピン３９はカム板２０の第１のカム溝２１の縦方向に延びる部分を上方に移動することになる。従ってピン３９を備えるトレー３５が静かに上方へ移動する。図５はトレー３５のピン３９がカム板２０の第１のカム溝２１の縦方向の部分と横方向の部分の交差する位置に至ったときの状態を示している。
【００２７】
この後さらに摺動板２５が引張りコイルばね２９によって前方へ押されるために、第２のカム溝３２はその傾斜面によってさらにピン３９を前方に押す。従ってピン３９は今度はカム板２０の第１のカム溝２１の横方向に延びる部分を前方に移動することになる。従ってこのことから、図５から図６に示す状態に変化し、トレー３５は上昇した後に前方へ移動することになる。そして図６に示すように、トレー３５のピン３９がカム板２０の第１のカム溝２１の前端に至った状態で、トレー３５は前方への移動動作を停止する。
【００２８】
このようなトレー３５の上方への動作の後の前方への動作によって、ディスク５０の交換操作は手前に移動されたトレー３５上にディスク５０を載置する操作になって非常に簡単な操作になる。すなわち奥の方へディスク５０を差込むようにしてトレー３５上に載置する必要がなくなる。これによってディスク５０の載置の操作性が改善される。またトレー３５が上方へ移動した後に前方へ移動するとともに、この動作が蓋板４２のダンパ４６に関連して緩衝されるために、機構的な魅力を提示することができる。
【００２９】
ここでトレー３５の前縁の寸法をこのキャビネットの中でのみ移動し、本体の前縁には飛出さないようにすることができる。従ってこの場合には、見掛け上は一般の極めて簡潔な固定支点を中心とした回動構造と同じくなる。しかもディスクが載置されている場合には、蓋板４２を開くとディスクの前縁側の部分がキャビネットの前縁よりもやや飛出すことになる。なおここで図６において鎖線５５で示すようにトレー３５の前縁の寸法を前方に長くし、ディスクの前縁よりも前方に飛出す形にすることによって、トレー３５の前縁をコンパクトディスク５０のガードとして使用することが可能になる。
【００３０】
またこのような構造は、トレー３５が蓋板４２の開放動作によって上方に移動し、この後前方に移動するようになるために、ディスクの交換に必要な開口量を小さくすることが可能になり、蓋板４２の奥行方向あるいは前後方向の寸法を小さくすることができ、蓋板４２のデザインの自由度が向上する。
【００３１】
なお図６に示すように蓋板４２が開かれかつコンパクトディスク５０が載置された状態でこの蓋板４２を閉じると、摺動板２５を介して加わる引張りコイルばね２９の弾性復元力に抗して蓋板４２が支点ピン４４を中心として図６において反時計方向に回動することになる。従ってこの蓋板４２の回動運動によって、その係合ピン４８が摺動板２５の縦溝３０を介して摺動板２５を後方へ押すようになる。
【００３２】
このような係合ピン４８による摺動板２５の後方への押圧動作によって、摺動板２５が引張りコイルばね２９に抗して後方へ移動する。このときにこの摺動板２５の第２のカム溝３２に係合されているトレー３５のピン３９はカム板２０の第１のカム溝２１の水平部分を後方へ移動する。これによってトレー３５が後方へゆっくりと移動することになる。図５はトレー３５の係合ピン３９がカム板２０の第１のカム溝２１の終端まで至った状態を示している。
【００３３】
この後さらに蓋板４２を支点ピン４４を中心として反時計方向に回動させて閉じようとすると、蓋板４２の係合ピン４８によって摺動板２５がさらに後方に押される。よって摺動板２５の第２のカム溝３２によってトレー３５のピン３９が押され、これによってピン３９はカム板２０の第１のカム溝２１の縦方向の部分を下方に移動することになる。これによってトレー３５が下降し、ここでトレー３５上のディスクがターンテーブル１４上に載置されてそのローディングを完了する。図４はローディングを完了した状態を示している。
【００３４】
次に別の実施の形態を図７〜図９によって説明する。この実施の形態は、左右のカム板２０に形成された第１のカム溝２１の形状を上記実施の形態とは別の形状にしたものである。すなわちここではカム板２０に形成される第１のカム溝２１が縦方向に延びる溝から構成される。なおそれ以外の構成は上記第１の実施の形態と同じである。
【００３５】
従ってこのような実施の形態によれば、図８および図９に示すように、蓋板４２を支点ピン４４を中心として時計方向に回動させて開放させると、摺動板２５が係合ピン４８によって前方に移動し、この摺動板２５の斜めの第２のカム溝３２に係合されるトレー３５の係合ピン３９が上方に押される。従って係合ピン３９はカム板２０の第１のカム溝２１に沿って上方へ移動する。このために蓋板４２の開放動作によってトレー３５が上昇動作する。
【００３６】
なおこのときのトレー３５の上昇位置は、摺動板２５の第２のカム溝３２の形状によって決定され、その角度を大きくするほどトレー３５が高い位置へ移動する。従ってキャビネットの上面とほぼ同じ高さまでトレー３５を移動させてディスク５０の交換を行なうようにすることができる。
【００３７】
蓋板４２を支点ピン４４を中心として閉じる方向に、すなわち図８および図９において反時計方向に回動させると、これによって摺動板２５が係合ピン４８によって後方に移動される。従ってこの摺動板２５の第２のカム溝３２に係合するトレー３５のピン３９がカム板２０の第１のカム溝２１に沿って下降する。これによって蓋板４２が閉じられると図８に示すように、トレー３５は下降位置に移動し、このトレー３５上のディスク５０がターンテーブル１４上に載置されることになる。
【００３８】
以上本願に含まれる発明を図示の実施の形態によって説明したが、本願に含まれる発明は上記実施の形態によって限定されることなく、本願に含まれる発明の技術的思想の範囲内で各種の変更が可能である。例えば上記実施の形態におけるカム板２０の第１のカム溝２１および摺動板２５の第２のカム溝３２の溝形状を変更することによって、トレー３５の運動軌跡を任意に変更することが可能になり、上昇しながら前方へ移動させるようにしたり、上部への移動のみとするとともにその移動量を大きくし、キャビネットの外表面までトレーを持上げるようにすることも可能になる。
【００３９】
【発明の効果】
本願の主要な発明は、ディスクを載置したトレーを移動させてディスクをターンテーブル上にローディングして記録および／または再生を行なうディスクプレーヤにおいて、トレーの側部にカム板を固定配置し、該カム板の第１のカム溝にトレーの側部の係合ピンを係合させ、しかもカム板の側部に前後方向に移動可能な摺動板を設け、該摺動板の第２のカム溝にトレーの係合ピンを係合させ、ディスクの出入れのための開口部を開閉自在に覆う蓋板の支点に対して偏倚する係合ピンを摺動板と連動させ、蓋板の開閉に連動してトレーを移動させるようにしたものである。
【００４０】
従ってこのようなディスクプレーヤによれば、蓋の開閉動作に連動して摺動板が前後方向に移動し、この摺動板の第２のカム溝に係合されているトレーを第１のカム溝の形状に合わせて移動させることが可能になり、トレーの移動軌跡を第１のカム溝の形状によって任意の移動軌跡とすることが可能になり、これによって操作性を改善し、あるいはまた特徴ある動作をさせ、さらにはデザイン性の改善を図ることが可能になる。
【図面の簡単な説明】
【図１】ディスクプレーヤの要部の分解斜視図である。
【図２】同ディスクプレーヤの要部の平面図である。
【図３】同ディスクプレーヤの要部縦断面図である。
【図４】同ディスクプレーヤの要部の側断面図である。
【図５】同ディスクプレーヤの蓋を途中まで開いた状態の側断面図である。
【図６】蓋を完全に開いた状態の側断面図である。
【図７】第２の実施の形態のディスクプレーヤの要部斜視図である。
【図８】同ディスクプレーヤの要部側断面図である。
【図９】同ディスクプレーヤの蓋を開いた状態の側断面図である。
【符号の説明】
１０‥‥基体、１１‥‥サポート、１２‥‥ダンパ、１３‥‥シャーシ、１４‥‥ターンテーブル、１５‥‥スピンドルモータ、１６‥‥光学ヘッド、２０‥‥カム板、２１‥‥第１のカム溝、２２‥‥突片、２５‥‥摺動板、２６‥‥長孔、２７‥‥突部、２８‥‥ピン、２９‥‥引張りコイルばね、３０‥‥縦溝、３１‥‥連結部、３２‥‥第２のカム溝、３５‥‥トレー、３６‥‥凹部、３７‥‥開口、３８‥‥突部、３９‥‥ピン、４２‥‥蓋板、４３‥‥側板、４４‥‥支点ピン、４５‥‥セグメントギヤ、４６‥‥ダンパ、４７‥‥ピニオン、４８‥‥係合ピン、４９‥‥係止爪、５０‥‥ディスク、５５‥‥鎖線、５６‥‥長孔、５７‥‥ピン
【図１】
2004334953.tif 000003
【図２】
2004334953.tif 000004
【図３】
2004334953.tif 000005
【図４】
2004334953.tif 000006
【図５】
2004334953.tif 000007
【図６】
2004334953.tif 000008
【図７】
2004334953.tif 000009
【図８】
2004334953.tif 000010
【図９】
2004334953.tif 000011